(57)【要約】      （修正有）【課題】十分な防寒性を備えつつも、タッチパネルの操作が可能な導電性を具備する手袋を提供する。【解決手段】外手袋２の第２指挿入部２２の内側に内手袋３が装着されることによって二重に形成され、内手袋３の掌側指先部分にのみ、導電性糸が編み込まれた導電性領域が形成される。この導電性糸は、導電性を備えたナイロン糸からなる。つまり、導電性糸は内手袋３と同一の素材から形成されるので、見た目は導電領域と非導電領域の区別がない。さらに、導電性糸を内手袋の編糸と同色にすることによって、着用者は導電領域を意識することなくタッチパネルの操作が可能となる。【選択図】図１
0003176313.tif 000002
【実用新案登録請求の範囲】
【請求項１】
内手袋と外手袋とからなる二重手袋であって、
前記内手袋は、少なくとも指先領域に導電性糸が編み込まれている二重手袋。
【請求項２】
前記内手袋は、全体に導電性糸が編み込まれている請求項１に記載の二重手袋。
【請求項３】
前記外手袋は、導電性糸が編み込まれていない請求項１又は２に記載の二重手袋。
【請求項４】
前記導電性糸は、検針機に対応した合成繊維からなる請求項１〜３の何れか１項に記載の二重手袋。
【請求項５】
前記導電性糸は、アクリルからなる請求項１〜４の何れか１項に記載の二重手袋。
【請求項６】
前記導電性糸は、前記内手袋の編糸と同素材及び同色である請求項１〜５の何れか１項に記載の二重手袋。
【請求項７】
指先の縫製がフラット切り替えである請求項１〜６の何れか１項に記載の二重手袋。
【考案の詳細な説明】
【技術分野】
【０００１】
本考案は手袋に関する。特に、携帯端末等に搭載された静電容量式タッチパネル等を操作可能な手袋に関する。
【背景技術】
【０００２】
この種の手袋ついて、特許文献１には静電容量式タッチパネル操作用手袋が開示されている。
特許文献２には、既存の手袋に導電性を付加させるための手袋用導電性装着具が開示されている。
特許文献３には、天然繊維又は合成繊維に導電繊維を混合させる技術が開示されている。
特許文献４には、導電性材料と合成樹脂とから形成された合成繊維からなる洗濯・乾燥ネットが開示されている。
特許文献５には、導電性繊維を含む撚糸からなる布帛が開示されている。
【先行技術文献】
【特許文献】
【０００３】
【特許文献１】特開２００８−８１８９６号公報
【特許文献２】特開２０１１−１９０５６４号公報
【特許文献３】特開平６−３４６３３１号公報
【特許文献４】特開平５−２０８０９１号公報
【特許文献５】特開２００３−１４７６６５号公報
【考案の概要】
【考案が解決しようとする課題】
【０００４】
ところで、特許文献１に記載された手袋では、指先のタッチパネル操作面に所定面積の導電体を具備したので、手袋の上からタッチパネルの操作が可能になっている。しかし、この手袋は編地手袋には使用できない。導電体が金属であると、検針機に引っかかってしまうからである。
また、指先表面に導電体を設けた手袋では、通常、手袋の厚みが増すと導電性が失われてしまうために、薄く、または目を粗く形成せざるを得ず、防寒性を犠牲にすることがあった。
【０００５】
上述の課題に鑑み、本考案では、十分な防寒性を備えつつも、タッチパネルの操作が可能な導電性を具備する手袋を提供することを課題とする。
【課題を解決するための手段】
【０００６】
請求項１に記載の考案は、内手袋と外手袋とからなる二重手袋であって、前記内手袋は、少なくとも指先領域に導電性糸が編み込まれている二重手袋である。
【０００７】
請求項２に記載の考案は、内手袋と外手袋とからなる二重手袋であって、前記内手袋は、全体に導電性糸が編み込まれている二重手袋である。
【０００８】
請求項３に記載の考案は、内手袋と外手袋とからなる二重手袋であって、前記外手袋は、導電性糸が編み込まれていない二重手袋である。
【０００９】
請求項４に記載の考案は、前記導電性糸は、検針機に対応した導電性合成繊維からなる二重手袋である。
【００１０】
請求項５に記載の考案は、前記導電性糸は、アクリルからなる二重手袋である。
【００１１】
請求項６に記載の考案は、前記導電性糸は、前記内手袋の編糸と同素材及び同色である二重手袋である。
【００１２】
請求項７に記載の考案は、指先の縫製がフラット切り替えである二重手袋である。
【考案の効果】
【００１３】
本考案による手袋は内手袋と外手袋とからなる二重構造となっているので保温性に優れ、内手袋の指先領域に導電性糸が編み込まれているので、静電容量式のタッチパネルでも支障なく操作することができる。
【００１４】
内手袋の全体に導電性糸が編み込まれているので、着用者の手の全体の動きをより正確に伝達することができる。また、指先のみを別途加工する必要がないため、特に縫手袋に用いる場合は製造プロセスを簡略化することができる。
【００１５】
二重手袋とし、かつ外手袋に導電性糸が編み込まれないので、導電性糸を編み込むことによる様々な制約を受けない。例えば、導電性糸自体は保温効果が低いが、これを使用せず保温性の高い糸を使用できるので、より防寒性に優れた手袋となる。また、外手袋は外部環境の影響を直接受けるので、保温性に加えて耐切創性等を備えたい場合などに、導電性糸を使用せず、適切な糸を用いることができる。つまり、手袋の使用目的に合わせた自由度が高まる。さらには、外手袋の色や模様等のデザインの幅も広がる。
【００１６】
導電性糸は、検針機に対応した導電性合成繊維、特にアクリルからなる。編地の手袋の検針に使用する検針機は、通常、高い検出精度で微小な金属を検知する。このような検針機でも、本考案による手袋の導電性繊維が金属ではなく、残針として誤認されないので、検針工程を従来通り実施することができる。
【００１７】
導電性糸を、内手袋の編糸と同素材及び同色の糸とすることによって、着用者は導電領域の位置を特に意識することなくタッチパネルの操作が可能となる。
【００１８】
指先の縫製をフラット切り替えにすることによって、指先の着用感が向上するとともにタッチパネルを滑らかに操作することができる。
【図面の簡単な説明】
【００１９】
【図１】本考案の一実施形態に係る手袋を示す。
【図２】図１に示す手袋のII−II断面説明図である。
【考案を実施するための形態】
【００２０】
図１は本考案の一実施形態に係る手袋１を示す。図１（ａ）は内手袋３を内部に縫合した状態の外手袋２を示し、図１（ｂ）は内手袋３を示す。
【００２１】
手袋１は外手袋２と内手袋３とからなる二重手袋である。本実施形態では編地手袋として実現する。手袋１は５指について挿入部を備え、掌及び甲を被覆する。手袋１は手首部２７を備えていてもよい。
【００２２】
手首部２７は、外手袋２と内手袋３とは別に、筒状に形成してその指先側端部を外手袋２及び内手袋３と縫合されてなる。または、外手袋２の腕側部分を延設し、内側に折り返して端部を内手袋３と縫合することによって設けてもよい。
いずれの場合も、手首部２７は、ゴム編み等の径方向に伸縮性のある編成が施される。その場合、編み止めや縫合に関して、その伸縮性を損なわない方法で処理することが好ましい。
【００２３】
外手袋２は、手指５指について各指を挿入可能な指挿入部、すなわち第１指挿入部２１、第２指挿入部２２、第３指挿入部２３、第４指挿入部２４及び第５指挿入部２５と、掌及び甲部２６を備える。上述したように、手首部２７を一体的に設けてもよい。
【００２４】
外手袋２には、羊毛等の天然繊維や、アクリル、ポリエステル，ポリウレタン等の合成繊維からなる編成糸が用いられ、平編みによって編成される。
外手袋２の各指挿入部（２１，２２，２３，２４，２５）の指先先端部は、両端にわずかに縫合箇所がある以外は縫い目が連続する所謂フラット切り替えである。そのため、指先先端部の編地が肉厚にならないので、滑らかな着用感を実現するとともにタッチパネルの操作性が向上する。
【００２５】
外手袋２の掌側面部に滑り止め加工を施してもよい。本実施形態ではグリップパターンを採用し、具体的にはシリコン等からなる直径２ｍｍ程度の凸部を２〜３ｍｍ間隔にて、各指先先端部を除いた掌面部全体に設けている。
【００２６】
内手袋３は、外手袋２と同様に、手指５指について各指を挿入可能な指挿入部、すなわち第１指挿入部３１、第２指挿入部３２、第３指挿入部３３、第４指挿入部３４及び第５指挿入部３５と、掌及び甲部３６とを備える。
【００２７】
内手袋３には、アクリル繊維からなる編成糸が用いられ、パイル地またはシャーリング地に編成される。パイル面は片面でも両面でもよい。パイル地及びシャーリング地は、構造上、保温性、保湿性、吸水性が高く、タオル等に使用されることが多いが、直接手に触れる部位である内手袋３に好適である。また、パイル地の場合は、パイルになる糸は基となる布地に十分に絡んでいないので、少しの引っかかりでもパイル抜けの恐れがあるが、内手袋３に設ける場合にはその欠点は問題にならない。
さらに、内手袋３には、抗菌加工や防臭加工を施してもよい。
【００２８】
内手袋３の各指挿入部（３１，３２，３３，３４，３５）の指先先端部もフラット切り替えである。内手袋３は、少なくとも掌側表面の各指先領域、すなわち第１指指先領域３１ａ、第２指指先領域３２ａ、第３指指先領域３３ａ、第４指指先領域３４ａ及び第５指指先領域３５ａに、導電性糸１０が編み込まれている。この導電性糸１０は、上述の平編みで編成された外手袋２を介してもタッチパネルを操作可能な糸である。したがって、必ずしも外手袋２が導電性を具備する必要はない。
【００２９】
この導電性糸１０は、外手袋２を介してもタッチパネルを操作可能な糸である。したがって、必ずしも外手袋２が導電性を備えている必要はない。
【００３０】
内手袋３は、外手袋２の内側に配置して縫合可能に形成される。二重手袋の場合、二重にしたことによる指先のダブつきや指の間のモタつき等の違和感が問題となるが、手袋１はこの問題に以下のように対処している。
【００３１】
手袋１は、その指挿入部の長さが、一般的な平編み手袋よりも短く形成されている。これによって、着用者は自身の指先を完全に手袋１の指先挿入部の先端まで挿入することができる。
【００３２】
さらに、内手袋３の指挿入部の長さは外手袋２の指挿入部の長さより短く形成されている。たとえば、第３指の場合、指先から指の付け根までの最長部位の長さは、内手袋３では約６０ｍｍ、外手袋２では約７０ｍｍである。一方、内手袋３はパイル地又はシャーリング地、外手袋２は平編み地であるので、内手袋３の方が外手袋２に比べて伸縮性が高い。したがって、着用者が手袋１を装着すると、内手袋３の高い伸縮性を利用して指と内手袋３がともに外手袋２に押し込まれる。さらに、外手袋２は、平編みによって目の詰まった固い編地なので、柔らかい内手袋３を外側から保持することとなる。その結果、二重手袋であっても、もたつくことなく手にフィットし、かつ外形状が型崩れしない手袋１を形成することができる。
【００３３】
図２は、図１に示す手袋のII−II断面説明図である。以下では、第２指挿入部２２を例に、手袋１の導電性領域について説明する。なお、他の各指先部についても同様の構成としてもよいし、タッチパネルの操作に特に必要な第１指及び第２指挿入部だけに導電領域を設けてもよい。
【００３４】
外手袋２の第２指挿入部２２の内側に内手袋３が装着されることによって二重に形成され、内手袋３の掌側指先部分にのみ、導電性糸１０が編み込まれた導電性領域が形成される。
この導電性糸１０は、導電性を備えたナイロン糸からなる。つまり、導電性糸１０は内手袋３と同一の素材から形成されるので、見た目は導電領域と非導電領域の区別がない。さらに、導電性糸１０を内手袋の編糸と同色にすることによって、着用者は導電領域を意識することなくタッチパネルの操作が可能となる。
【産業上の利用可能性】
【００３５】
本考案に係る手袋によれば、日常生活で使用する手袋に適用することによって、スマートフォン等の操作に適する他、軍手などに適用することによって、作業現場等の作業員が着用してもよい。
【符号の説明】
【００３６】
１          手袋
２          外手袋
３          内手袋
１０        導電性糸
２１，３１  第１指挿入部
２２，３２  第２指挿入部
２３，３３  第３指挿入部
２４，３４  第４指挿入部
２５，３５  第５指挿入部
２６，３６  甲部
２７        手首部
３１ａ      第１指指先領域
３２ａ      第２指指先領域
３３ａ      第３指指先領域
３４ａ      第４指指先領域
３５ａ      第５指指先領域
【図１】
0003176313.tif 000003
【図２】
0003176313.tif 000004